(57)【要約】【課題】背支持体に背フレームをねじで固定している椅子において、組み立ての能率を上げると共に作業者の負担も軽減する。【解決手段】座の後ろに支持アーム１０が延びており、支持アーム１０の後端の起立部に左右横長の金具２８を溶接で固定している。金具２８には背フレーム１７の下部がビス３２及びナット３３で固定される。背フレーム１７には金具２８に嵌まり込む凹所２９が形成されており、凹所２９の上内面に、背フレーム１７を前後に倒れ不能に仮保持するストッパー部として下向き突起３６を設けている。下向き突起３６の下端から凹所２６の下内面までの間隔は金具２８の上下幅寸法より僅かに大きい寸法に設定しており、背フレーム１７はいったん上にずらした状態で金具２８に嵌め込まれ、次いで下向きにずらして所定の高さになる。【選択図】図８
2014094211.tif 000002
【特許請求の範囲】
【請求項１】
座の後ろに位置した背支持体に、背もたれの強度メンバーである背フレームを前から又は後ろから重ねてねじで固定している構成であって、
前記背支持体と背フレームとに、前記ねじで締結する前の状態で前記背フレームを前後倒れ不能に仮保持する姿勢保持手段を設けている、
背もたれ付き椅子。
【請求項２】
前記座の下方から後ろに向けて延びる支持アームを備えており、前記支持アームの後端に、前記背支持体として、前記背フレームの下部に後ろから重なる左右横長の金具が固定されている一方、
前記背フレームは前後に開口していてこれに可撓性のメッシュ材が張られており、前記背フレームの下部に、前記金具に嵌まる後ろ向き開口の凹所を設け、前記凹所と金具とのうちいずれか一方又は両方に、背フレームを金具に嵌め入れてから下降動させると背フレームを前倒れ不能に保持するストッパー部を設けており、このため、前記凹所とストッパー部とで前記姿勢保持手段が構成されている、
請求項１に記載した背もたれ付き椅子。
【請求項３】
前記凹所の上内周面に、前記ストッパー部として下向き突起を設けている、
請求項２に記載した背もたれ付き椅子。
【請求項４】
前記背フレームには、当該背フレームの背面と前記背支持体とを後ろから覆う背面カバーを設けている、
請求項１〜３のうちのいずれかに記載した背もたれ付き椅子。
【請求項５】
前記背フレームと前後に開口した枠状になっており、その下端部を前記背支持体に固定している、
請求項１〜４のうちのいずれかに記載した背もたれ付き椅子。
【発明の詳細な説明】
【技術分野】
【０００１】
本件特許は、背もたれを備えた椅子に関するものである。
【背景技術】
【０００２】
椅子において背もたれは様々な構造が提案されてかつ実施されているが、１つのタイプとして、座の後ろに配置した背支持体に背もたれの強度メンバーである背フレームを前から重ねて、両者をねじで固定したものがある。
【０００３】
背支持体と背フレームとの形状は様々であり、例えば特許文献１には、背支持体を支柱状に構成して背フレームをシェル状に構成して、背フレームに後ろ向き突設したボス部に背支持体をねじで固定することが開示されている。また、背フレームを前後に開口した形状としてこれにメッシュ材を張る一方、背支持体を金具（金属板）で構成し、金具に背フレームの下部をねじ止めしたものもある。
【先行技術文献】
【特許文献】
【０００４】
【特許文献１】特開２０１１−１８３１０７号公報
【発明の概要】
【発明が解決しようとする課題】
【０００５】
背もたれを背支持体に背フレームがねじ止めされた構成は、単純であるためコストを抑制できる利点を有するが、一つの問題として、ねじ止めに際して背フレームを作業者が手で持って所定の高さと姿勢とを保持しておらねばならないため、組み立てに手間が掛かるのみならず、作業者の負担も大きいという点が挙げられる。
【０００６】
本願発明は、かかる現状を改善すべく成されたものである。
【課題を解決するための手段】
【０００７】
本願発明は重層的な構成を含んでおり、これを請求項で特定している。このうち請求項の発明は、座の後ろに位置した背支持体に、背もたれの強度メンバーである背フレームを前から又は後ろから重ねてねじで固定している構成において、前記背支持体と背フレームとに、前記ねじで締結する前の状態で前記背フレームを前後倒れ不能に仮保持する姿勢保持手段を設けている。
【０００８】
請求項２の発明は請求項１の発明を具体化したもので、この発明では、前記座の下方から後ろに向けて延びる支持アームを備えており、前記支持アームの後端に、前記背支持体として、前記背フレームの下部に後ろから重なる左右横長の金具が固定されている一方、前記背フレームは前後に開口していてこれに可撓性のメッシュ材が張られており、前記背フレームの下部に、前記金具に嵌まる後ろ向き開口の凹所を設け、前記凹所と金具とのうちいずれか一方又は両方に、背フレームを金具に嵌め入れてから下降動させると背フレームを前倒れ不能に保持するストッパー部を設けており、このため、前記凹所とストッパー部とで前記姿勢保持手段が構成されている。
【０００９】
請求項３の発明は更に請求項２の発明を具体化したもので、この発明では、前記凹所の上内周面に前記ストッパー部として下向き突起を設けている。請求項１〜３の何れにおいても、請求項４に記載したように、前記背フレームに、当該背フレームの背面と前記背支持体とを後ろから覆う背面カバーを設けることが可能である。更に、請求項５の発明では、請求項１〜４のうちのいずれかにおいて、  前記背フレームと前後に開口した枠状になっており、その下端部を前記背支持体に固定している。
【発明の効果】
【００１０】
本願発明によると、姿勢保持手段の存在により、背フレームを背支持体にねじ止めするに際しては、作業者が一々背フレームを手で持って高さと姿勢とを保持している必要はないため、組み立て作業の手間を省くことができると共に、作業者の負担も軽減することができる。
【００１１】
姿勢保持手段は様々の形態に具体化できるが、請求項２のように凹所とストッパー部との組み合わせを採用すると、所定の高さと姿勢に保持することを特段の力を要することなくごく簡単にできるため、作業者の負担軽減において特に優れている。また、凹所を金具がきっちり入る大きさとするとことにより、背フレームの左右の傾きもしっかり防止できて好適であると共に、金具を露出させる場合であっても背面をスッキリさせることができる。
【００１２】
請求項２では、ストッパー部は、金具に設けたり、凹所（背フレーム）と金具との両方に設けたりすることも可能であるが、請求項３のようにストッパーとして凹所に下向き突起を設ける構成を採用すると、金具には特段の加工を施す必要がないため、それだけ加工の手間を抑制できる。
【００１３】
請求項４のように背フレームの背面と背支持体とを背面カバーで覆うと、背フレームの背面や背支持体のデザイン性は考慮することなく強度の面のみを考慮して設計できるため、美粧機能を確保しつつ背フレーム及び背支持体の設計の手間を省略できる利点がある。
【００１４】
さて、背フレームが前後に開口した形態であると、その下端部を背支持体に固定することになるが、この場合、下部を手で持ってねじの締結作業をせねばならないため、作業者の負担かより高くなる。この点、本願発明を適用した請求項５の構成を採用すると、背フレームが前後に開口した形態であっても作業者に負担を強いることなく迅速に固定作業を行える。従って、請求項５の発明はより好適であると云える。
【図面の簡単な説明】
【００１５】
【図１】実施形態に係る椅子を示す図で、（Ａ）は全体の斜視図，（Ｂ）は座クッションと背のメッシュ材とを取り外した状態の斜視図である。
【図２】（Ａ）は椅子の大まかな分離斜視図、（Ｂ）は背もたれの支持機構を示す斜視図である。
【図３】背もたれの支持機構を示す図で、（Ａ）は分離斜視図、（Ｂ）は下方から見た斜視図である。
【図４】（Ａ）は背面カバーを分離した斜視図、（Ｂ）は背もたれの組み立て後の斜視図、（Ｃ）は背もたれの側部の平断面図である。
【図５】背フレームの取り付け構造を示す図で、（Ａ）は上から見た斜視図、（Ｂ）は下から見た斜視図である。
【図６】背フレームの取り付け構造を示す図で、（Ａ）は下から見た分離斜視図、（Ｂ）は上から見た分離斜視図である。
【図７】組み立て後の状態を図５（Ｂ）の VII-VII視線から見た断面図である。
【図８】取り付け手順を示す図である。
【図９】他の実施形態を示す図であり、（Ａ）は第２実施形態の断面図、（Ｂ）は（Ａ）のＢ−Ｂ視図、（Ｃ）は第３実施形態の断面図、（Ｄ）は（Ｃ）のＤ−Ｄ視図、（Ｅ）は第４実施形態の要部断面図である。
【発明を実施するための形態】
【００１６】
(1).第１実施形態の概要
次に、本願発明の実施形態を図面に基づいて説明する。まず、第１実施形態の概要を図１〜図３に基づいて説明する。本実施形態はオフィスで事務用等に多用されている回転椅子に適用しており、椅子は、脚装置１と座２と背もたれ３とを有している。図１のとおり、脚装置１は、ガスシリンダよりなる脚支柱４と放射状に延びる複数本の枝足５とを有しており、各枝足５の先端にはキャスタを設けている。
【００１７】
図２，３のとおり、脚支柱４の上端には上向きに開口したベース６が固定されており、ベース６に、座２を構成する座板（座インナーシェル）７がねじで固定されている。座板７の上面には座クッション（図示せず）が張られており、座クッションは張地で覆われている。座インナーシェル７は樹脂製であり、図２のとおり、概ね前後中間部に左右横長の溝部８を形成して、この溝８に左右横長の鋼板製補強板９を嵌め込んでいる。補強板９は、肘掛け装置（図示せず）を取り付けるためのものである。
【００１８】
ベース６の左右外側には丸パイプ製の支持アーム１０が配置されており、支持アーム１０の後端に背もたれ３が取り付けられている。支持アーム１０は、その前端部を中心にして後傾動するように左右横長の軸１１でベース６に連結されており、支持アーム１０の後傾動は、ベース６の後部のばね受け凹所１２に配置したコイルばね（図示せず）で弾性的に支持される。従って、本実施形態の椅子はロッキング椅子である。
【００１９】
図３に示すように、左右の支持アーム１０はばね受け凹所１２の下方位置においてステー１３で連結されており、ステー１３の下面にばねの初期弾性力を調節するためのハンドル１４を配置している。また、支持アーム１０には、これを隠す下カバー１５が下方から嵌め込まれている。なお、図３（Ａ）に示す符号１６は脚支柱４の上端部が嵌着したブッシュであり、ブッシュ１６はベース６に溶接されている。
【００２０】
(2).背もたれ及びその取り付け構造
次に、従前の図に加えて図４以下の部面も参照して、背もたれ３とその取り付け構造とを説明する。例えば図４に示すよう、背もたれ３は、強度メンバーとしての背フレーム１７とその裏側に配置した背面カバー１８とを有しており、背フレーム１７には、着座者の身体を受けるメッシュ材１９が張られている。従って、背もたれ３は背フレーム１７とメッシュ材１９とを必須の要素としている。背面カバー１８は樹脂製である。
【００２１】
背フレーム１７は前後に開口した形態であり、上下長手の左右サイドメンバー２０と、左右サイドメンバー２０の上端に繋がった左右横長のアッパメンバー２１と、左右サイドメンバー２０の下端に傾斜部２２を介して繋がった左右横長のロアメンバー２３とで構成されている。従って、背フレーム１７の下端部は、傾斜部２２とロアメンバー２３とで構成されていて下向きテーパ状の外観を呈している。
【００２２】
なお、傾斜部２２は、サイドメンバー２０の一部と見ることもロアメンバー２３の一部と見ることもできるし、独立した部分と見ることもできる。ここでは、独立した部分として扱うこととする。
【００２３】
背フレーム１７は樹脂製であり、背面に露出した多数の補強リブ２４を設けている（多数の穴が開いていると見ることも可能である。）。サイドメンバー２０は、下に行くに従って横幅が僅かずつ大きくなっており、傾斜部２２とロアメンバー２３との正面視での幅寸法は、アッパメンバー２１の幅寸法よりかなり大きくなっている。
【００２４】
また、背フレーム１７の背面のうち外周寄りの部位には平坦部１７ａを設けており、この平坦部１７ａにメッシュ材１９の周縁をタッカーで固定している。例えば図５に明示するように、平坦部１７ａの内周は後ろ向きに突出した外壁１７ｂで区画されている一方、背フレーム１７の内周は内壁１７ｃで構成されており、内壁１７ｃと外壁１７ｂとの間の溝に多数の補強リブ２４を設けている。或いは、外壁１７ｂと内壁１７ｃとの間の部分がランド部になっていて、これに多数の穴（溝）が形成されているということも可能である。サイドメンバー２０とアッパメンバー２１の箇所では、内壁１７ｃの高さは外壁１７ｂの高さよりも低くなっている。ロアメンバー２３の箇所では、内壁１７ｃと外壁１７ｂとの高さは概ね同じ寸法に設定している。
【００２５】
図４（Ｃ）に一部を示すように、背フレーム１７のサイドメンバー２０の箇所では、背面カバー１８に前向きの爪２５を設けて、これを背フレーム１７に設けた係合穴２６に嵌め込み係合している。背面カバー１８の上部と下部も係合爪が形成されていて、これらが背フレーム１７に係合している。また、図示していないが、背面カバー１８の上部には位置決めのための前抜き突起を設けて、これを背フレーム１７のアッパメンバー２１に設けた位置決め穴に嵌め込んでいる。
【００２６】
例えば図６（Ｂ）に示すように、左右支持アーム１０の後部は上向きに立ち上がった起立部になっており、この起立部に、背支持体の一例としての金具２８を溶接で固定している。金具２８は左右横長であり、背フレーム１７のロアメンバー２３と傾斜部２２とに後ろから重なっている。左右の支持アーム１０は背フレーム１７のロアメンバー２３と傾斜部２２との境界部に位置しており、このため、金具２８のうち支持アーム１０の外側にはみ出た部分は、正面視で外側に向けて高くなるように傾斜している。
【００２７】
また、金具２８は背フレーム１７の内壁１７ｃと外壁１７ｂとの間の溝に嵌まっており、リブ２４も金具２８が嵌まる箇所では浅くしている。このため、背フレーム１７の下部には、金具２８が嵌まる凹所２９が後ろ向きに開口した状態に形成されている。図６に示すように、背フレーム１７の外壁１７ｂには支持アーム１０が嵌入する切り開き溝３０を形成している。金具２８は支持アーム１０の半周程度に被さっており、このため、半円状の溝状部２８ａが左右に形成されている。また、金具２８には、左右横長の補強リブ３１を膨出形成している。
【００２８】
例えば図６，７に示すように、金具２８は、左右中間部の上部とその左右外側の下部と左右端部との合計５箇所において背フレーム１７にビス（ねじ）３２及びナット３３で固定されている。すなわち、背フレーム１７が金具２８の前面にビス３２で固定されている。このため、背フレーム１７には５カ所の締結部３４が形成されており、締結部３４の前面にはナット３３が嵌まる座繰り穴３５を形成している。
【００２９】
ナット３３は円形で後ろ向きの爪を備えたものを使用しており、外周部に設けた爪を背フレーム１７に食い込ませている。もとより、六角ナットのように非円形のものを使用して、座繰り穴３５をナット３３の形状に揃えることで、ナット３３を回転不能に保持することも可能である。なお、金具２８を使用せずにビス３２を背フレーム１７にねじ込むことも可能である。また、背フレーム１７に後ろ向きのスタッドボルトを据え込んで、これにナットを後ろからねじ込むことも可能である。
【００３０】
金具２８のうち左右支持アーム１０の間の部分は平面視で左右横長の姿勢になっているが、支持アーム１０の左右外側の部分は平面視で外に行くほど後ろにずれように傾斜しており、そこで、各ビス３２の軸線を前後方向に向かう姿勢とするため、金具２８の左右端部には後ろ向きに突出した押し曲げ部２８ｂを形成している。このように押し曲げ部２８ｂを形成することは、金具２８の強度アップにも貢献している。
【００３１】
図７に示すように、背フレーム１７における凹所２９の上下溝幅は金具２８の上下幅寸法よりある程度の寸法Ｅ１だけ大きい寸法になっており、かつ、内壁１７ｃのうち左右支持アーム１０の間の部位（換言すると、凹所２９の上内面のうち左右支持アーム１０の間の部位）には、金具２８の外側に位置した下向き突起３６を設けており、下向き突起３６の突出寸法Ｅ２はＥ１より僅かに小さい寸法に設定している（Ｅ１とＥ２はほぼ同じ寸法でもよい。）。なお、下向き突起３６の手前には、成形に際しての型抜きを容易ならしめるための穴３６′が開いている。
【００３２】
下向き突起３６は請求項に記載したストッパー部の一例であり、図５（Ｂ）及び図６（Ａ）に示すように、突片状（舌片状）の形態として左右支持アーム１０の間の左右２カ所に形成しているが、左右に長い壁状に形成したり、３箇所以上の複数箇所に形成したり、或いは、左右中間部の１カ所のみに形成したりすることも可能である。
【００３３】
なお、支持アーム１０はパイプ構造には限らず、樹脂成形品やアルミダイキャスト品、或いは、板金加工品など種々のものを使用できる。背フレーム１７も同様である。金具２８のような背支持体を支持アーム１０に一体に形成することも可能である。また、支持アーム１０は左右に分離した形態である必要はなく、単一形態であってもよい。
【００３４】
(3).第１実施形態のまとめ
背フレーム１７を金具２８に固定するに当たっては、図８に示すように、先ず、背フレーム１７をその上端が手前になるように傾けた状態にして、凹所２９の下端（外壁１７ｂの下端）を金具２８の下端に当て、金具２８の下端を支点にして背フレーム１７を後ろに倒すことで、凹所２９を金具２８に嵌め込み、それから背フレーム１７を下方にずり下げる。
【００３５】
すると、金具２８の上端部が凹所２９の底面と下向き突起３６で挟まれた状態になるため、背フレーム１７は一々人が手で持っていなくても、前後いずれの方向にも倒れない状態に仮保持される。従って、作業者は、例えば、背フレーム１７から両手を離した状態で、片手に持ったビスをドライバ工具にセットしてからナット３３にねじ込むことができるのであり、このため、締結作業を迅速に行えると共に、作業者の負担も軽減できる。なお、先にビス３２を金具２８に挿入してから、ビス３２に頭にドライバを係合させてねじ込むという方法も採用できる。
【００３６】
実施形態のように下向き突起３６を左右横幅が小さい突片状に形成すると、下向き突起３６は簡単に弾性変形させることができるので、下向き突起３６を凹所２９と金具２８との幅の寸法差Ｅ１より若干大きくしていても、図８（Ｂ）の状態から凹所２９を簡単に金具２８に嵌め込むことができる。
【００３７】
また、背フレーム１７は前後に開口しているためロアメンバー２３を金具２８に固定せざるを得ず、なんらの対策を講じないとは安定が悪くなって固定作業が面倒になるが、本実施形態では背フレーム１７を仮保持できるため、固定作業を容易に行える。背フレームを金具２８の後面に固定する場合は、背フレーム１７のロアメンバー２３に前向きの凹所２９を形成したらよい。
【００３８】
(4).他の実施形態
次に、図９に示す他の実施形態を説明する。図９のうち（Ａ）（Ｂ）に示す第２実施形態では、ストッパー部として、金具２８に上向きに突起３８を形成して、凹所２９の上内面に上向き突起３８が嵌まる係合穴３０を形成している。この場合も、突起３８の突出寸法は金具２８と凹所２９との幅の寸法差より僅かに小さいか同じ程度に設定している。
【００３９】
図９のうち（Ｃ）（Ｄ）に示す第３実施形態では、背フレーム１７の背面に、金具２８を左右両側から挟むサイド突起４０と、金具２８に上から被さる上係合爪４１と、金具２８に下から被さる下係合爪４２とを形成し、上下下係合爪４１，４２の深さの差を、金具２８の上下幅と上下係合爪４１，４２の上下間隔の差よりも小さく設定している。
【００４０】
この場合も、背フレーム１７は、その上端が手前に位置するように側面視で傾けた姿勢で、いったんずり上げるような状態で下係合爪４２のみを金具２８に嵌め込み、次いで、姿勢を戻して背フレーム１７を金具２８に重ねてから下にずらす、という手順により、背フレーム１７を倒れ不能に保持できる。従って、この実施形態では、上下の係合爪４１，４２が請求項に記載した姿勢保持手段になっているが、左右ずれを防止するため、サイド突起４０を設けるのが好ましい。
【００４１】
図９のうち（Ｅ）に示す第４実施形態では、背フレーム１７の背面に、側面視で下向き鉤状の係合爪４３を設ける一方、金具２８には、係合爪４３を落とし込み係合できる係合穴４４を設けている。従って、この実施形態では係合爪４３と係合穴４４とが請求項に記載した姿勢保持手段になっている。係合爪４３と係合穴４４とは上下に複数設けるのが好ましい。この実施形態とは逆にして、金具２８に係合爪４３を切り起こし等で形成して、背フレーム１７に係合穴４４を設けることも可能である。
【００４２】
(5).その他
本願発明は、上記の実施形態の他にも様々に具体化できる。例えば、背フレームの背面に茸形の係合爪を後ろ向きに突設して、これを金具に設けた係合穴に弾性に抗して嵌め込むといったことも可能である。また、上記の実施形態はロッキング椅子に適用しているが、本願発明は背もたれがロッキングしないタイプの椅子や、劇場用椅子のような固定式椅子にも適用できる。
【００４３】
背フレームは前後に開口した形態には限らず、前後に開口していないシェル状の形態であってもよい。背フレームをシェル状に形成した場合、背面カバーは、シェル状の形態と、背フレームの周縁部のみを覆う前後開口式の形態とのいずれも採用できる。背フレームをシェル状に形成した場合は、一般的には、その前面に直接に又はインナーシェルを介してクッション材を張ることが多い。支持アームは座の下面に固定してもよい。
【産業上の利用可能性】
【００４４】
本願発明は、実際に具体化できる。従って、産業上利用できる。
【符号の説明】
【００４５】
１  脚装置
２  座
３  背もたれ
６  ベース
１０  支持アーム
１７  背フレーム
１８  背面カバー
１９  メッシュ材
２０  背フレームのサイドメンバー
２１  背フレームのアッパメンバー
２２  背フレームの傾斜部
２３  背フレームのロアメンバー（金具への固定部）
２８  背支持体の一例としての金具
２９  凹所
３２  ビス（ねじ）
３３  ナット
３６  ストッパー部の一例としての下向き突起
【図１】
2014094211.tif 000003
【図２】
2014094211.tif 000004
【図３】
2014094211.tif 000005
【図４】
2014094211.tif 000006
【図５】
2014094211.tif 000007
【図６】
2014094211.tif 000008
【図７】
2014094211.tif 000009
【図８】
2014094211.tif 000010
【図９】
2014094211.tif 000011